(57)【要約】【課題】水位弁の作動確認が短時間に行える水位弁作動確認装置を提供する。【解決手段】水位弁作動確認装置は、水槽内に備えられた水位弁の傾動自在のフロートを浮かべるために水を貯える抱持容器と、水を貯えた上記抱持容器を上記フロートを浮かべる位置まで移動させる移動機構と、を有する。上記移動機構は、両端が軸受により回転自在に支持され、長手方向の中間部に螺旋が設けられる支持レールと、上記支持レールに並列し、両端が上記軸受に固定される案内棒と、上記支持レールの中間部に噛合する螺旋穴および上記案内棒が貫通する孔が設けられ、外縁に上記抱持容器が固定される移動ナットと、上記支持レールを回転させるハンドルと、を有する。【選択図】図１
2006009260.tif 000002
【特許請求の範囲】
【請求項１】
水槽内に備えられた水位弁の傾動自在のフロートを浮かべるために水を貯える抱持容器と、
水を貯えた上記抱持容器を上記フロートを浮かべる位置まで移動させる移動機構と、
を有することを特徴とする水位弁作動確認装置。
【請求項２】
上記移動機構は、
両端が軸受により回転自在に支持され、長手方向の中間部に螺旋が設けられる支持レールと、
上記支持レールに並列し、両端が上記軸受に固定される案内棒と、
上記支持レールの中間部に噛合する螺旋穴および上記案内棒が貫通する孔が設けられ、外縁に上記抱持容器が固定される移動ナットと、
上記支持レールを回転させるハンドルと、
を有することを特徴とする請求項１に記載する水位弁作動確認装置。
【請求項３】
水槽内に据え付けられていることを特徴とする請求項１または２に記載する水位弁作動確認装置。
【請求項４】
作動確認を行う度に水槽内に持ち込まれることを特徴とする請求項１または２に記載する水位弁作動確認装置。
【発明の詳細な説明】
【技術分野】
【０００１】
この発明は、貯水槽内に備えられる水位弁の作動確認のための水位弁作動確認装置に関する。
【背景技術】
【０００２】
貯水槽には満水などの事故を防止するため、所定の水位に貯水が達したとき給水を停止する水位弁が貯水槽内に備えられている。この水位弁は、浮力によるフロートの動きに伴い弁が作動される機構を有している。そして、貯水槽の定期清掃時や点検時に作動確認が行われている（例えば、特許文献１参照。）。
【０００３】
【特許文献１】特開平８−３０３２４号公報
【発明の開示】
【発明が解決しようとする課題】
【０００４】
しかし、水位弁の作動確認のために水をフロートが作動するまで供給しなければならないので、大容量の貯水槽などでは貯水に長い時間が必要となり、作動確認に手間が掛かるという問題がある。
【０００５】
この発明の目的は、水位弁の作動確認が短時間に行える水位弁作動確認装置を提供することである。
【課題を解決するための手段】
【０００６】
この発明の水位弁作動確認装置は、水槽内に備えられた水位弁の傾動自在のフロートを浮かべるために水を貯える抱持容器と、水を貯えた上記抱持容器を上記フロートを浮かべる位置まで移動させる移動機構と、を有する。
【発明の効果】
【０００７】
この発明の水位弁作動確認装置の効果は、抱持容器を満たすに充分な水位まで貯水槽に水を貯めればよいので、水を貯める時間が短くなり、作動確認が手早く行える。
【発明を実施するための最良の形態】
【０００８】
図１は、この発明の実施の形態に係わる水位弁作動確認装置が備えられる貯水槽の断面図である。
なお、以下の説明において水が貯えられる貯水槽を例にあげているが、水以外の液体が貯えられる貯液槽であっても本発明を適用できる。
貯水槽１には、貯水槽１内に水が供給される給水口３、一端が給水口３に接続され、他端が水管５に接続される水位弁７が備えられている。
また、貯水槽１は、直方体の上面に開口部９が設けられている。
水位弁７は、貯水槽１の水位が所定の上限に達したとき、水から受ける浮力により上方に押し上げられるフロート１１、フロート１１を傾動可能に支持するフロート用レバー１３、フロート用レバー１３に連結する弁部１５から構成されている。
水位弁７は、フロート１１が水の浮力により上方に押し上げられると、フロート用レバー１３に力が加わり、フロート用レバー１３が弁部１５を閉めるように働き、給水口３からの水の供給を停止する。
【０００９】
水位弁作動確認装置１７は、水が貯えられている抱持容器１９、抱持容器１９を上下に移動させ、貯水槽１の底２１から縦立し、頂部が開口部９から外側に突き出るように配設される移動機構２３から構成されている。
そして、移動機構２３は、底２１に置かれ、鉛直方向に中心軸を有する第１の軸受２５、第１の軸受２５に回転自在に、鉛直方向に支持される支持レール２７、第１の軸受２５の周縁部に固定され、支持レール２７に並列して縦立する案内棒２９、支持レール２７の上端部を回転自在に支持し、案内棒２９を周縁部にて固定する第２の軸受３１から構成される。支持レール２７は、その長手方向の中間部に螺旋が設けられている。
さらに、移動機構２３は、支持レール２７の第２の軸受３１から上方に突き抜けた部分に一端が固着され、支持レール２７を回転させるハンドル３３、支持レール２７の螺旋が設けられた中間部に噛合し、貫通する案内棒２９により鉛直方向に案内される移動ナット３５を有している。移動ナット３５は、中央に螺旋穴３９が螺設され、その螺旋穴３９の周辺に貫通孔４１が貫通されている。
【００１０】
抱持容器１９は、移動ナット３１の外縁に固着されている。この抱持容器１９の内容積は、フロート１１の体積より大きくなっているが、貯水槽１の内容積に比べ非常に小さい。そして、抱持容器１９の深さは、フロート１１が抱持容器１９に貯えられた水に浮いているとき、抱持容器１９の底３７がフロート１１に当接しない程度にしてある。
【００１１】
次に、水位弁作動確認装置１７の動作について図１と図２とを参照して説明する。
貯水槽１を排水して清掃を行った後、水位弁作動確認装置１７を貯水槽１の開口部９から貯水槽１の底２１に載置する。次に、手で第２の軸受３１を掴んで回転しないようにしながら、ハンドル３３を廻して抱持容器１９を貯水槽１の底２１に近づくように降下させる。そして、水管５に水を通して、貯水槽１内に水を貯める。抱持容器１９の深さまで貯水槽１に水が貯まると、図１に示すように、抱持容器１９内に水が流れ込み、抱持容器１９は水で満たされる。
次に、手で第２の軸受３１を掴んで回転しないようにしながら、ハンドル３３を逆に廻して抱持容器１９を水が満たされたまま上昇させる。そして、抱持容器１９が図２に示す位置まで持ち上げられると、フロート１１が水からの浮力により図２の点線の位置から実線の位置まで上方に押し上げられる。
そして、フロート１１が所定の位置まで押し上げられると、フロート用レバー１３が起きあがり、弁部１５が閉められる。
このようにして、水位弁７が正常に作動して水の供給を遮断するか否かを確認できる。
【００１２】
このような水位弁作動確認装置は、抱持容器を満たすに充分な水位まで貯水槽に水を貯めればよいので、水を貯める時間が短くなり、作動確認も手短に行える。
【００１３】
なお、上述の説明では水位弁作動確認装置が清掃などの後に貯水槽内に持ち込まれる例をあげたが、貯水槽内に常時水位弁作動確認装置が据え付けられていてもよい。
【図面の簡単な説明】
【００１４】
【図１】この発明の実施の形態に係わる水位弁作動確認装置が備えられる貯水槽の断面図である。
【図２】フロートが作動するまで抱持容器が持ち上げられた状態の貯水槽の断面図である。
【符号の説明】
【００１５】
１  貯水槽、３  給水口、５  水管、７  水位弁、９  開口部、１１  フロート、１３  フロート用レバー、１５  弁部、１７  水位弁作動確認装置、１９  抱持容器、２１  底、２３  移動機構、２５、３１  軸受、２７  支持レール、２９  案内棒、３３  ハンドル、３５  移動ナット、３７  底、３９  螺旋穴、４１  貫通孔。
【図１】
2006009260.tif 000003
【図２】
2006009260.tif 000004